(57)【要約】【課題】実用性の高い病名診断システム、およびその病名診断システムにより患者の病名を診断することのできる患者マシンを提供することを目的とする。【解決手段】通信回線網２００を介して相互に接続された、病名診断に繋がる情報と病名とを関連づけて記憶した病名診断データベース３１０を備えたセンタマシン３００と、受診患者のカルテ情報を記憶したカルテ情報データベース４１０を備えた病院情報マシン４００と、患者症状情報を入力する患者症状情報入力部５１０および患者に病名を通知する病名通知部５２０を備えた患者マシン５００とを具備し、センタマシン３００は、患者症状情報入力部５１０から入力された患者症状情報と病院情報マシン４００から提供を受けたカルテ情報との双方に基づいて病名診断データベース４１０を検索し、患者マシン５００に病名を通知する。【選択図】  図２
2004287961.tif 000002
【特許請求の範囲】
【請求項１】
通信回線網を介して相互に接続された、
病名診断に繋がる情報と病名とを関連づけて記憶した病名診断データベースを備えたセンタマシンと、
受診患者のカルテ情報を記憶したカルテ情報データベースを備えた病院情報マシンと、
患者の操作に応じて該患者が訴える症状を表す患者症状情報を入力する患者症状情報入力部を備えた患者マシンとを具備し、
前記病院情報マシンは、要求に応じて、前記カルテ情報データベース中の、前記患者マシンを操作する患者のカルテ情報を提供するものであり、
前記センタマシンは、前記患者症状情報入力部から入力された患者症状情報と前記病院情報マシンから提供を受けたカルテ情報との双方に基づいて前記病名診断データベースを検索し、該患者マシンに、該患者マシンを操作した患者の病名を通知するものであり、
前記患者マシンは、前記患者症状情報入力部に加え、さらに、該患者マシンを操作した患者に、前記センタマシンから通知を受けた病名を通知する病名通知部を備えたものであることを特徴とする病名診断システム。
【請求項２】
通信回線網を介して、病名診断に繋がる情報と病名とを関連づけて記憶した病名診断データベースを備えたセンタマシンと、受診患者のカルテ情報を記憶したカルテ情報データベースを備えた病院情報マシンとに接続された、患者により操作され前記センタマシンおよび前記病院情報マシンとともに患者の病名を診断する病名診断システムを構成する患者マシンであって、
前記患者マシンは、患者の操作に応じて該患者が訴える症状を表す患者症状情報を入力する患者症状情報入力部を備え、
前記病院情報マシンは、要求に応じて、前記カルテ情報データベース中の、前記患者マシンを操作する患者のカルテ情報を提供するものであり、
前記センタマシンは、前記患者症状情報入力部から入力された患者症状情報と前記病院情報マシンから提供を受けたカルテ情報との双方に基づいて前記病名診断データベースを検索し、該患者マシンに、該患者マシンを操作した患者の病名を通知するものであり、
前記患者マシンは、前記患者症状情報入力部に加え、さらに、該患者マシンを操作した患者に、前記センタマシンから通知を受けた病名を通知する病名通知部を備えたものであることを特徴とする患者マシン。
【発明の詳細な説明】
【０００１】
【発明の属する技術分野】
本発明は、患者が訴える症状から病名を診断する病名診断システム、および患者の操作に応じて症状に関する情報を入力し、病名診断システムにより診断された病名を患者に通知する患者マシンに関する。
【０００２】
【従来の技術】
従来、医療の分野において、経験や直感に頼らず、科学的根拠（Ｅｖｉｄｅｎｃｅ）に基づいて最適な医療・治療を選択し実践するための方法論としてＥＢＭ（Ｅｖｉｄｅｎｃｅ  Ｂａｓｅｄ  Ｍｅｄｉｃｉｎｅ：臨床研究結果などに基づく診療）が提唱されている。
【０００３】
このＥＢＭは、予め患者の診断・予後・治療などに関するデータを疫学的・生物統計学的手法で解析した結果に基づきＥＢＭデータベースを構築しておき、このＥＢＭデータベースを検索することにより個々の患者に最も適切な臨床判断を下すために活用しようとするものである。すなわち、従来のように、医師の経験や勘によって診療方針を決定するのではなく、臨床研究などの結果に基づいた科学的根拠のある診療を行うことにより、誤診、誤投薬など医療機関のミスを削減して効率的で質の高い医療を実現するというものであり、また、ＥＢＭはインフォームドコンセント（医師が患者に診療の目的、内容を十分に説明し、納得を得て治療すること）の普及を促進するためにも有効であることが知られている。
【０００４】
このＥＢＭを推進するため、疾患毎のガイドライン（標準的な診療方法）や文献等を整備したＥＢＭデータベース活用指針が厚生労働省からも出されている。
【０００５】
しかし、上記のＥＢＭデータベースは、主として臨床医が医療独特の専門用語を駆使して検索することを前提として整備されるものであるため、仮に、一般の利用者がこのデータベースを利用できる環境が整備されたとしても、専門用語を知らない一般の利用者がこのデータベースを検索して自らの病名を診断するのは容易ではなく、現状のままでは、一般の利用者はこのＥＢＭデータベースの高度な内容を十分に活用することができない。
【０００６】
そこで、このような問題点を解消するものとして、データベースによる情報検索技術の分野において、利用者により不十分な情報検索コマンドが入力された場合でも、その情報検索コマンドからキーワードを抽出し、情報検索コマンドを正しいキーワードに変換した上でその正しいキーワードでデータベースを検索することにより、不十分な情報検索コマンドに対しても正しい検索結果が得られるようにした情報検索処理方式が提案されている（例えば、特許文献１参照）。
【０００７】
【特許文献１】
特開平５−１４３６４９号公報（第１〜２頁、第１〜２図）
【０００８】
【発明が解決しようとする課題】
しかし、上記の情報検索処理方式では、不十分な情報検索コマンドから正しいキーワードに自動変換するキーワード変換手段、および正しいキーワードを記憶したデータベースが必要であるが、一般に、医療の分野では、人体の各部位の名称や症状を表すキーワードの数が、俗称や方言などを含めると極めて多く、それらが組み合わされて表現される患者の症状についてのキーワードは膨大なものとなるため、そのような膨大なキーワード変換用のデータベースを構築するのに多大の労力と時間を要し、実用性の高い病名診断システムを実現することは極めて困難である。
【０００９】
本発明は、上記事情に鑑み、実用性の高い病名診断システム、およびその病名診断システムにより患者の病名を診断することのできる患者マシンを提供することを目的とする。
【００１０】
【課題を解決するための手段】
上記目的を達成する本発明の病名診断システムは、
通信回線網を介して相互に接続された、
病名診断に繋がる情報と病名とを関連づけて記憶した病名診断データベースを備えたセンタマシンと、
受診患者のカルテ情報を記憶したカルテ情報データベースを備えた病院情報マシンと、
患者の操作に応じてその患者が訴える症状を表す患者症状情報を入力する患者症状情報入力部を備えた患者マシンとを具備し、
上記病院情報マシンは、要求に応じて、上記カルテ情報データベース中の、上記患者マシンを操作する患者のカルテ情報を提供するものであり、
上記センタマシンは、上記患者症状情報入力部から入力された患者症状情報と上記病院情報マシンから提供を受けたカルテ情報との双方に基づいて上記病名診断データベースを検索し、その患者マシンに、その患者マシンを操作した患者の病名を通知するものであり、
上記患者マシンは、上記患者症状情報入力部に加え、さらに、その患者マシンを操作した患者に、上記センタマシンから通知を受けた病名を通知する病名通知部を備えたものであることを特徴とする。
【００１１】
また、上記目的を達成する本発明の患者マシンは、
通信回線網を介して、病名診断に繋がる情報と病名とを関連づけて記憶した病名診断データベースを備えたセンタマシンと、受診患者のカルテ情報を記憶したカルテ情報データベースを備えた病院情報マシンとに接続された、患者により操作され上記センタマシンおよび上記病院情報マシンとともに患者の病名を診断する病名診断システムを構成する患者マシンであって、
上記患者マシンは、患者の操作に応じてその患者が訴える症状を表す患者症状情報を入力する患者症状情報入力部を備え、
上記病院情報マシンは、要求に応じて、上記カルテ情報データベース中の、上記患者マシンを操作する患者のカルテ情報を提供するものであり、
上記センタマシンは、上記患者症状情報入力部から入力された患者症状情報と上記病院情報マシンから提供を受けたカルテ情報との双方に基づいて上記病名診断データベースを検索し、その患者マシンに、その患者マシンを操作した患者の病名を通知するものであり、
上記患者マシンは、上記患者症状情報入力部に加え、さらに、その患者マシンを操作した患者に、上記センタマシンから通知を受けた病名を通知する病名通知部を備えたものであることを特徴とする。
【００１２】
【発明の実施の形態】
以下、本発明の実施形態について説明する。
【００１３】
図１は、本発明の病名診断システムおよび患者マシンの実施形態が運用されるコンピュータシステムの外観図である。
【００１４】
図１には、本発明の一実施形態の病名診断システムのセンタマシンとなるコンピュータ１０と、このセンタマシンにカルテ情報を提供する病院情報マシンとなるコンピュータ２０と、患者などこの病名診断システムを利用する一般の利用者により操作される患者マシンとなるコンピュータ３０，４０，５０，…と、これらの各コンピュータを相互に接続する通信回線網６０とが示されている。
【００１５】
コンピュータ１０，２０には、いわゆるメインフレーム、ワークステーション、又はパーソナルコンピュータなどが用いられ、患者マシンに対するサーバマシンとして動作する。
【００１６】
コンピュータ３０，４０，５０には、いわゆるパーソナルコンピュータが用いられ、センタマシンに対するクライアントマシンとして動作する。
【００１７】
通信回線網６０には、インターネット、ＷＡＮ（Ｗｉｄｅ  Ａｒｅａ  Ｎｅｔｗｏｒｋ）、あるいはＬＡＮ（Ｌｏｃａｌ  Ａｒｅａ  Ｎｅｔｗｏｒｋ）などが用いられる。
【００１８】
コンピュータ１０，２０には、コンピュータ本体１１，２１、コンピュータ本体１１，２１から出力される情報を表示する表示装置１２，２２、操作者からの指示をコンピュータ本体１１，２１に伝えるためのキーボード１３，２３およびマウス１４，２４などが備えられている。
【００１９】
同様に、コンピュータ３０，４０，５０にも、コンピュータ本体３１，４１，５１、表示装置３２，４２，５２、キーボード３３，４３，５３およびマウス３４，４４，５４などが備えられている。
【００２０】
図２は、本発明の病名診断システムおよび患者マシンの一実施形態を示す概略構成図である。
【００２１】
図２に示すように、この病名診断システム１００は、通信回線網２００を介して相互に接続された、センタマシン３００、病院情報マシン４００、および患者マシン５００を具備している。図２に示すセンタマシン３００、病院情報マシン４００、および通信回線網２００は、それぞれ図１に示したコンピュータ１０，２０、および通信回線網６０に相当し、また、図２に示す患者マシン５００は、図１に示したコンピュータ３０，４０，５０に相当する。
【００２２】
病院情報マシン４００は、受診患者のカルテ情報を記憶したカルテ情報データベース４１０を備えており、センタマシン３００からの要求に応じて、カルテ情報データベース４１０中のカルテ情報の中の、患者マシン５００を操作する患者のカルテ情報を通信回線網２００を介してセンタマシン３００に提供する。
【００２３】
患者マシン５００は、患者の操作に応じてその患者が訴える症状を表す患者症状情報を入力する患者症状情報入力部５１０と、患者マシン５００を操作した患者に、センタマシン３００から通知を受けた病名を通知する病名通知部５２０とを備えている。
【００２４】
センタマシン３００は、病名診断に繋がる情報と病名とを関連づけて記憶した病名診断データベース３１０を備えており、患者症状情報入力部５１０から入力された患者症状情報と病院情報マシン４００から提供を受けたカルテ情報との双方に基づいて病名診断データベース３１０を検索し、その検索結果、すなわちその患者マシン５００を操作した患者の病名を、通信回線網２００を介して患者マシン５００に通知する。
【００２５】
図３は、本実施形態の病名診断システムに備えられた病名診断データベース３１０のデータ構造の一例を示す図である。
【００２６】
この病名診断データベース３１０は、いわゆるＥＢＭデータベースと呼ばれるデータベースの一例であり、病名診断に繋がる情報と病名とが関連づけて記憶されている。すなわち、図３に示すように、患者の年代３１０ａ、診療科３１０ｂ、性別３１０ｃ、病名３１０ｄ、医師判断情報３１０ｅ、主訴３１０ｆ、検査結果情報３１０ｇなどが記憶されている。
【００２７】
図４は、本実施形態の病名診断システムに備えられたカルテ情報データベース４１０のデータ構造の一例を示す図である。
【００２８】
このカルテ情報データベース４１０には、図４に示すように、受診患者のカルテ情報、すなわち、患者の氏名４１０ａ、カナ氏名４１０ｂ、生年月日４１０ｃ、性別４１０ｄ、医師判断情報４１０ｅ、家族歴４１０ｆ、健康保険証番号４１０ｇ、初診日４１０ｈ、診療科４１０ｉ、主訴４１０ｊ、検査結果情報４１０ｋなどが記憶されている。
【００２９】
次に、本実施形態の病名診断システムによる病名診断処理の流れについて説明する。
【００３０】
図５は、本実施形態の病名診断システム全体の処理の流れを示すフローチャートである。
【００３１】
図５に示すように、患者マシン５００（図２参照）を患者が操作することによりこの病名診断システム１００（図２参照）の利用が開始され、次に示す利用者初期入力画面が表示される（ステップＳ０１）。
【００３２】
図６は、本実施形態の患者マシンに表示される利用者初期入力画面である。
【００３３】
図６に示すように、利用者初期入力画面５３０＿１上には利用者の健康保険証番号入力欄５３０ａが表示される。
【００３４】
この健康保険証番号入力欄５３０ａに、例えば、“１２３４−５６７８９０”のように利用者の健康保険証番号を入力すると、入力された健康保険証番号は、通信回線網２００（図２参照）を介して病院情報マシン４００に送信され、それに応じて次に示す利用者検索情報入力画面が、病院情報マシン４００から通信回線網２００を介して患者マシン５００に送信され（ステップＳ０２）、患者マシン５００に表示される（ステップＳ０３）。
【００３５】
図７は、本実施形態の患者マシンに表示される利用者検索情報入力画面である。
【００３６】
図７に示す利用者検索情報入力画面５３０＿２により、患者の氏名５３０ｂ、対象病院名５３０ｃ、診療科５３０ｄ、初診日５３０ｅ、自覚症状５３０ｆなどからなる利用者検索情報が入力され（ステップＳ０４）、それらの利用者検索情報は通信回線網２００（図２参照）を介して病院情報マシン４００に送信される（ステップＳ０５）。
【００３７】
病院情報マシン４００は、送られてきた利用者検索情報を受信し（ステップＳ０５）、その利用者検索情報に基づいて病院情報マシン４００に備えられたカルテ情報データベース４１０を検索し（ステップＳ０７）、その検索結果から、病名診断データベースを検索する際の検索項目を表す検索依頼レコードを編集し（ステップＳ０８）、編集された検索依頼レコードを、通信回線網２００を介してセンタマシン３００に送信する（ステップＳ０９）。
【００３８】
センタマシン３００は、送られてきた検索依頼レコードを受信し（ステップＳ１０）、その検索依頼レコードの表す検索項目に基づいて、センタマシン３００に備えられた病名診断データベース３１０（図３参照）を検索する（ステップＳ１１）。本実施形態の例では、検索結果として、病名診断データベース３１０のＮｏ．３のレコードから病名３１０ｄ：“アトピー性皮膚炎”が得られる。
【００３９】
その検索結果は通信回線網２００を介して患者マシン５００に送信される（ステップＳ１２）。
【００４０】
患者マシン５００は、送られてきた検索結果を受信し（ステップＳ１３）、その検索結果を、次に説明する検索結果表示画面上に表示する（ステップＳ１４）。
【００４１】
図８は、本実施形態の患者マシンに表示される検索結果表示画面である。
【００４２】
図８に示すように、検索結果表示画面５３０＿３上には、疑いのある病名５３０ｇとして、例えば“アトピー性皮膚炎”のように検索結果が表示される。
【００４３】
次に、病院情報マシン４００における処理内容およびセンタマシンおける処理内容について詳細に説明する。
【００４４】
図９は、病院情報マシンにおける処理の流れを示すフローチャートである。
【００４５】
図９に示すように、病院情報マシンは、患者マシン５００（図２参照）からのアクセス要求を受信する（ステップＳ２１）と、そのアクセス要求が正当なアクセス権に基づくものであるか否かについて認証処理を行う（ステップＳ２２）。
【００４６】
この認証処理には、例えば、健康保険証番号入力欄５３０ａ（図７参照）および患者の氏名５３０ｂなどのデータと、これらのデータに対応するカルテ情報データベースの中のデータとの整合性を検証することなどが行われる。
【００４７】
認証処理の結果（ステップＳ２３）、正当なアクセス権に基づくものでない場合は処理を終了するが、正当なアクセス権に基づくものである場合は、利用者検索情報入力画面５３０＿２（図７参照）を通信回線網２００を介して患者マシン５００に送信する（ステップＳ２４）。
【００４８】
病院情報マシンから利用者検索情報入力画面を受信した患者マシン５００の患者症状情報入力部５１０（図２参照）は、患者の操作に応じて利用者検索情報入力画面５３０＿２（図７参照）上に利用者検索情報、例えば、患者の氏名５３０ｂとして“日本太郎（３０歳）”、対象病院名５３０ｃとして“ＡＢＣ病院”、診療科５３０ｄとして“皮膚科”、初診日５３０ｅとして“２００２年７月１０日”、自覚症状５３０ｆとして“皮膚のかゆみ”などを入力する。この利用者検索情報は通信回線網２００を介して患者マシン５００から病院情報マシン４００に送信される（図５：ステップＳ０５）。
【００４９】
病院情報マシン４００は、患者マシン５００からこの利用者検索情報を受信し（図９：ステップＳ２５）、受信した利用者検索情報が、検査結果情報に関する情報又は医師判断情報に関する情報のいずれであるかの判定を行う（ステップＳ２６）。
【００５０】
ここで、検査結果情報に関する情報とは、利用者検索情報の内容が、例えば、“ＧＯＴ：５０”や“ＧＰＴ：６０”などのように医療検査機器による検査結果に関する情報をいい、医師判断情報に関する情報とは、利用者検索情報の内容が、図７に示した例のように、“皮膚のかゆみ”などのような医師の所見情報に関する情報をいう。
【００５１】
図９のステップＳ２６における判定において、利用者検索情報の内容が検査結果情報に関するものである場合は、病院情報マシン４００に備えられたカルテ情報データベース４１０の検査結果情報４１０ｋ（図４参照）を検索し（ステップＳ２７）、検索された検索結果情報を基に検索依頼レコードを編集し（ステップＳ２８）、ステップＳ３１に進む。
【００５２】
一方、図９のステップＳ２６における判定において、利用者検索情報の内容が医師判断情報に関するものである場合は、病院情報マシン４００に備えられたカルテ情報データベース４１０の医師判断情報４１０ｅ（図４参照）を検索し（ステップＳ２９）、検索された医師判断情報を基に検索依頼レコードを編集し（ステップＳ３０）、ステップＳ３１に進む。
【００５３】
本実施形態の例では、利用者検索情報の内容（図７参照）が医師判断情報に関するものであるので、ステップＳ２９において、“健康保険証番号：１２３４−５６７８９０”（５３０ａ）、“診療科：皮膚科”（５３０ｄ）、“自覚症状：皮膚のかゆみ”（５３０ｆ）から、カルテ情報データベース４１０（図４参照）の“健康保険証番号：１２３４−５６７８９０”（４１０ｇ）、“診療科：皮膚科”（４１０ｉ）、“主訴：指（両手）がかゆい”（４１０ｊ）が検索され、それらを基に、次に説明するような検索依頼レコードが編集される。
【００５４】
図１０は、病院情報マシンで編集される検索依頼レコードの内容を示す図である。
【００５５】
図９のステップＳ２６における判定において、利用者検索情報が検査結果情報に関する情報である場合は、例えば、図１０（Ａ）に示すように、“ＧＯＴ”や“ＧＰＴ”などのような医療検査機器による検査内容からなる検索依頼レコード４２０が編集される。本実施形態の例では、前述のように、利用者検索情報が医師判断情報に関するものであるので、例えば、図１０（Ｂ）に示すように、“乾燥”、“紅斑”  などのような医師の判断情報からなる検索依頼レコード４３０が編集される。
【００５６】
ステップＳ３１では、他に利用者検索情報があるか否かが判定され、他に利用者検索情報がある場合はステップＳ２６に戻りステップＳ２６移行の処理が繰り返される。一方、他に利用者検索情報がない場合はステップＳ３２に進み、検索依頼レコードを通信回線網２００を介してセンタマシン３００へ送信する（ステップＳ３２）。
【００５７】
次に、センタマシン３００における処理内容を詳細に説明する。
【００５８】
図１１は、センタマシンにおける処理の流れを示すフローチャートである。
【００５９】
センタマシン３００（図２参照）が、図１１に示すように、病院情報マシン４００から検索依頼レコードを受信すると（ステップＳ４１）、その検索依頼レコードが検査結果情報に関するもの又は医師判断情報に関するもののいずれであるかの判定を行う（ステップＳ４２）。
【００６０】
ステップＳ４２における判定において、その検索依頼レコードが検査結果情報に関するものである場合は、その検索依頼レコード（図１０（Ａ）：４２０）の検索内容に基づき、病名診断データベース３１０の検査結果情報３１０ｇ（図３参照）を検索し（ステップＳ４３）、ステップＳ４５に進む。
【００６１】
一方、ステップＳ４２における判定において、その検索依頼レコードが医師判断情報に関するものである場合は、その検索依頼レコード（図１０（Ｂ）：４３０）の検索内容に基づき、病名診断データベース３１０の医師判断情報３１０ｅ（図３参照）を検索し（ステップＳ４４）、ステップＳ４５に進む。
【００６２】
ステップＳ４５では、ステップＳ４３又はステップＳ４５で得られた検索結果から、該当する病名が抽出される。
【００６３】
本実施形態の例では、検索依頼レコード４３０（図１０（Ｂ）参照）が医師判断情報に関するものであるので、ステップＳ４５で、病名診断データベース３１０（図３：３１０）のレコードの中から、  Ｎｏ．３のレコード：“診療科：皮膚科”（３１０ｂ）、“病名：アトピー性皮膚炎”（３１０ｄ）、“医師判断情報：乾燥、紅斑”（３１０ｅ）、  “主訴：皮膚のかゆみ”（３１０ｆ）が検索され、ステップＳ４５で病名として、“アトピー性皮膚炎”が抽出される。
【００６４】
次に、ステップＳ４６では、全ての検索依頼レコードの処理が終わったか否かが判定され、まだ検索依頼レコードがある場合はステップＳ４２に戻りステップＳ４２移行の処理が繰り返される。一方、他に検索依頼レコードがない場合はステップＳ４７に進み、病名３１０ｄ（図３参照）を通信回線網２００を介して患者マシン５００へ送信する（ステップＳ４７）。
【００６５】
本実施形態の例では、病名：“アトピー性皮膚炎”が、通信回線網２００を介して患者マシン５００に送信される。
【００６６】
こうして、最初に、利用者初期入力画面５３０＿１（図６）上で入力された健康保険証番号：“１２３４−５６７８９０”の患者の、利用者検索情報入力画面５３０＿２（図７）上で入力された利用者検索情報と病院情報マシン４００から提供を受けたカルテ情報との双方に基づいてセンタマシン３００で抽出された病名：“アトピー性皮膚炎”が患者マシン５００に通知され、検索結果表示画面５３０＿３（図８）の疑いのある病名５３０ｇに、例えば“アトピー性皮膚炎”のように表示される。
【００６７】
なお、本実施形態では、利用者検索情報および検索依頼レコードを、それぞれ、検査結果情報に関する情報又は医師判断情報に関する情報の２種類の情報に分けて処理しているが、必ずしもこのように２種類の情報に分けて処理しなければならないわけではなく、１種類の情報として処理しても差し支えない。
【００６８】
次に、本発明の患者マシンの一実施形態について説明する。
【００６９】
本実施形態の患者マシン５００は、図２に示すように、通信回線網２００を介して、センタマシン３００と、病院情報マシン４００とに接続されており、病名診断システム１００を構成している。この患者マシン５００は、患者により操作され、センタマシン３００および病院情報マシン４００とともに患者の病名を診断する。
【００７０】
この患者マシン５００は、前述の病名診断システムの実施形態におけると同様、患者の操作に応じてその患者が訴える症状を表す患者症状情報を入力する患者症状情報入力部５１０、およびその患者マシン５００を操作した患者にセンタマシン３００から通知を受けた病名を通知する病名通知部５２０を備えている。
【００７１】
センタマシン３００は、前述の病名診断システムの実施形態におけると同様、病名診断に繋がる情報と病名とを関連づけて記憶した病名診断データベース３１０を備えており、患者症状情報入力部５１０から入力された患者症状情報と病院情報マシン４００から提供を受けたカルテ情報との双方に基づいて病名診断データベース３１０を検索し、患者マシン５００に、その患者マシン５００を操作した患者の病名を通知する。
【００７２】
病院情報マシン４００もまた、前述の病名診断システムの実施形態におけると同様、受診患者のカルテ情報を記憶したカルテ情報データベース４１０を備えており、要求に応じて、カルテ情報データベース４１０中の、患者マシン５００を操作する患者のカルテ情報を提供する。
【００７３】
上記の患者マシン５００、センタマシン３００、および病院情報マシン４００は、前述の病名診断システムの実施形態におけると同様であるので、詳細な説明は省略する。
【００７４】
【発明の効果】
以上、説明したように、本発明の病名診断システムによれば、病名診断に繋がる情報と病名とを関連づけて記憶した病名診断データベースを備えたセンタマシンが、患者マシンの上記患者症状情報入力部から入力された患者症状情報と病院情報マシンから提供を受けたカルテ情報との双方に基づいて上記病名診断データベースを検索するように構成したことにより、キーワード変換などの複雑な手段や膨大なキーワード変換のための膨大なデータベースを必要としない、実用的な病名診断システムを実現することができる。
【００７５】
また、本発明の患者マシンによれば、専門的な知識を持たない一般の利用者が上記のような病名診断システムを用いて容易に病名の診断を受けられる患者マシンを実現することができる。
【図面の簡単な説明】
【図１】本発明の病名診断システムおよび患者マシンの実施形態が運用されるコンピュータシステムの外観図である。
【図２】本発明の病名診断システムおよび患者マシンの一実施形態を示す概略構成図である。
【図３】本実施形態の病名診断システムに備えられた病名診断データベース３１０のデータ構造の一例を示す図である。
【図４】本実施形態の病名診断システムに備えられたカルテ情報データベース４１０のデータ構造の一例を示す図である。
【図５】本実施形態の病名診断システムに備えられたカルテ情報データベース４１０のデータ構造の一例を示す図である。
【図６】本実施形態の患者マシンに表示される利用者初期入力画面である。
【図７】本実施形態の患者マシンに表示される利用者検索情報入力画面である。
【図８】本実施形態の患者マシンに表示される検索結果表示画面である。
【図９】病院情報マシンにおける処理の流れを示すフローチャートである。
【図１０】病院情報マシンで編集される検索依頼レコードの内容を示す図である。
【図１１】センタマシンにおける処理の流れを示すフローチャートである。
【符号の説明】
１０，２０，３０，４０，５０    コンピュータ
１１，２１，３１，４１，５１    コンピュータ本体
１２，２２，３２，４２，５２    表示装置
１３，２３，３３，４３，５３    キーボード
１４，２４，３４，４４，５４    マウス
６０    通信回線網
１００    病名診断システム
２００    通信回線網
３００    センタマシン
３１０    病名診断データベース
３１０ａ    患者の年代
３１０ｂ    診療科
３１０ｃ    性別
３１０ｄ    病名
３１０ｅ    医師判断情報
３１０ｆ    主訴
３１０ｇ    検査結果情報
４００    病院情報マシン
４１０    カルテ情報データベース
４１０ａ    患者の氏名
４１０ｂ    カナ氏名
４１０ｃ    生年月日
４１０ｄ    性別
４１０ｅ    医師判断情報
４１０ｆ    家族歴
４１０ｇ    健康保険証番号
４１０ｈ    初診日
４１０ｉ    診療科
４１０ｊ    主訴
４１０ｋ    検査結果情報
４３０    検索依頼レコード
５００    患者マシン
５１０    患者症状情報入力部
５２０    病名通知部
５３０＿１    利用者初期入力画面
５３０＿２    利用者検索情報入力画面
５３０＿３    検索結果表示画面
５３０ａ    健康保険証番号入力欄
５３０ｂ    患者の氏名
５３０ｃ    対象病院名
５３０ｄ    診療科
５３０ｅ    初診日
５３０ｆ    自覚症状
５３０ｇ    病名
【図１】
2004287961.tif 000003
【図２】
2004287961.tif 000004
【図３】
2004287961.tif 000005
【図４】
2004287961.tif 000006
【図５】
2004287961.tif 000007
【図６】
2004287961.tif 000008
【図７】
2004287961.tif 000009
【図８】
2004287961.tif 000010
【図９】
2004287961.tif 000011
【図１０】
2004287961.tif 000012
【図１１】
2004287961.tif 000013